(57)【要約】      （修正有）【課題】ボンダーへの取り付け作業性を向上することが可能であり、部材費を抑えつつ取り付け後の脱落を防止できるボンダーキャップを提供する。【解決手段】電線２２〜２４の端末に形成されボンダーキャップ１に収容されるボンダー２７は、段差３０を有する。ボンダーキャップ１は、他端４がボンダー２７を収容部１１に収容した状態で電線２２〜２４を導出可能な電線導出口７として構成される。ボンダーキャップ１の側面１５に設けられるボンダー挿通口８は、電線導出口７に連続しボンダーキャップ１の軸方向に沿って一端３側にわたって開口形成され且つボンダー２７を上記軸方向に直交する方向に挿通可能に形成される。ボンダー挿通口８に連続するように設けられる段差係合部９は、ボンダー２７を収容部１１に収容した状態で段差３０と対向するように形成され且つ電線２２〜２４が上記軸方向に移動しようとした時に段差３０が当接可能に形成される。【選択図】図３
2018163812.tif 000002
【特許請求の範囲】
【請求項１】
複数の電線の端末に形成されるボンダーを収容するボンダーキャップにおいて、
当該ボンダーキャップに収容される前記ボンダーは、
段差を有する形状に形成され、
当該ボンダーキャップは、
長手方向の一端が閉塞されるとともに前記長手方向の他端が開放されてなる有底筒状に形成され、且つ、開放された前記他端が、前記ボンダーを当該ボンダーキャップに収容した状態で前記複数の電線を導出可能な電線導出口として構成され、
さらに、当該ボンダーキャップは、
ボンダー挿通口と、段差係合部と、を備えて構成され、
前記ボンダー挿通口は、
当該ボンダーキャップの側面に設けられるものであって、前記電線導出口に連続し当該ボンダーキャップの軸方向に沿って前記一端側にわたって開口形成され、且つ、前記ボンダーを、当該ボンダーキャップの軸方向に直交する方向に挿通可能に形成され、
前記段差係合部は、
前記ボンダー挿通口に連続するように設けられるものであって、前記ボンダーを当該ボンダーキャップに収容した状態で前記段差と対向するように形成され、且つ、前記複数の電線が当該ボンダーキャップの軸方向に移動しようとした時に前記段差が当接可能に形成される
ことを特徴とするボンダーキャップ。
【請求項２】
請求項１に記載のボンダーキャップにおいて、
当該ボンダーキャップは、前記ボンダー挿通口に可撓性を有する保持片を設けてなる
ことを特徴とするボンダーキャップ。
【請求項３】
請求項１又は２に記載のボンダーキャップにおいて、
前記保持片の内面は、前記保持片の先端に行くにしたがって薄肉となる傾斜する形状に形成される
ことを特徴とするボンダーキャップ。
【発明の詳細な説明】
【技術分野】
【０００１】
本発明は、ワイヤハーネスを構成する複数の電線の端末に形成されるボンダーを収容するボンダーキャップに関する。
【背景技術】
【０００２】
従来、ワイヤハーネスを構成する複数の電線の端末に形成されるボンダーを収容するボンダーキャップの技術としては、例えば、特許文献１の図６及び図７に開示された技術が知られている。
【０００３】
特許文献１の図６及び図７に図示するように、ボンダーキャップ１００は、絶縁性樹脂からなり、キャップ本体１１０と、ハーネス固定部１２０とを備えて構成されている。
【０００４】
特許文献１の図７に図示するように、キャップ本体１１０は、長手方向の一端が閉塞されるとともに他端が開放されてなる有底筒状に形成され、ワイヤハーネスの幹線から分岐した電線束１３０の端末に形成されるボンダー１３１に装着される部分として構成されている。ここで、「ボンダー」とは、「スプライス部」とも呼ばれ、特許文献１の図６及び図７に図示するように、電線束１３０を構成する複数の電線１３２それぞれの導体端部１３２ａ同士を接続して一体化させた集中接続端のことである。
【０００５】
特許文献１の図６及び図７に図示するように、ハーネス固定部１２０は、キャップ本体１１０の開放された他端の一部の領域に連続して形成されキャップ本体１１０の軸方向（図６に図示する矢印Ｘ１の指示する方向）に沿って舌状に延出する部分として形成されている。ハーネス固定部１２０は、キャップ本体１１０がボンダー１３１から脱落することを防止するために、粘着テープ１４０により電線束１３０に結束される部分として構成されている。
【０００６】
ボンダーキャップ１００のボンダー１３１への取り付け作業は、次のように行う。
まず、第一の工程として、ボンダー１３１を、キャップ本体１１０の開放された他端側から挿入し、キャップ本体１１０に装着する。しかる後、第二工程として、ハーネス固定部１２０と電線束１３０とを粘着テープ１４０により結束し、ハーネス固定部１２０に電線束１３０を固定する。以上により、ボンダーキャップ１００のボンダー１３１への取り付け作業が完了する。
【先行技術文献】
【特許文献】
【０００７】
【特許文献１】特開２０１２−１８２１０３号公報
【発明の概要】
【発明が解決しようとする課題】
【０００８】
ところで、従来技術では、ボンダーキャップのボンダーへの取り付け作業において、次のような問題点があった。
【０００９】
すなわち、従来技術では、ボンダーをキャップ本体の開放された他端側から挿入するため、作業者は、ボンダーの挿入位置合わせを行わなければならなかった。また、作業者は、ボンダーを、キャップ本体の開放された他端側からキャップ本体の軸方向に沿って挿入するため、ボンダーの挿入移動距離が長くなっていた。したがって、従来技術では、ボンダーキャップのボンダーへの取り付け作業における作業性が良くないというような問題点があった。
【００１０】
また、従来技術では、ボンダーをキャップ本体に装着した後、ボンダーキャップを持ち替えてハーネス固定部と電線束とを粘着テープで結束するため、作業工数がかかっていた。したがって、このことからも、従来技術では、ボンダーキャップのボンダーへの取り付け作業における作業性が良くないというような問題点があった。
【００１１】
さらに、従来技術では、ハーネス固定部に電線束を固定するため粘着テープを用いていたため、粘着テープの部材費が掛かるというような問題点があった。
【００１２】
本発明は、上記した事情に鑑みてなされたもので、一つの課題は、ボンダーへの取り付け作業における作業性を向上させることが可能なボンダーキャップを提供することを課題とする。
もう一つの課題は、ボンダーへの取り付け作業における部材費を抑えつつ、ボンダーへの取り付け後におけるボンダーからの脱落を防止することが可能なボンダーキャップを提供することを課題とする。
【課題を解決するための手段】
【００１３】
上記課題を解決するためになされた請求項１記載の本発明のボンダーキャップは、複数の電線の端末に形成されるボンダーを収容するボンダーキャップにおいて、当該ボンダーキャップに収容される前記ボンダーは、段差を有する形状に形成され、当該ボンダーキャップは、長手方向の一端が閉塞されるとともに前記長手方向の他端が開放されてなる有底筒状に形成され、且つ、開放された前記他端が、前記ボンダーを当該ボンダーキャップに収容した状態で前記複数の電線を導出可能な電線導出口として構成され、さらに、当該ボンダーキャップは、ボンダー挿通口と、段差係合部と、を備えて構成され、前記ボンダー挿通口は、当該ボンダーキャップの側面に設けられるものであって、前記電線導出口に連続し当該ボンダーキャップの軸方向に沿って前記一端側にわたって開口形成され、且つ、前記ボンダーを、当該ボンダーキャップの軸方向に直交する方向に挿通可能に形成され、前記段差係合部は、前記ボンダー挿通口に連続するように設けられるものであって、前記ボンダーを当該ボンダーキャップに収容した状態で前記段差と対向するように形成され、且つ、前記複数の電線が当該ボンダーキャップの軸方向に移動しようとした時に前記段差が当接可能に形成されることを特徴とする。
【００１４】
このような特徴を有する本発明によれば、ボンダーキャップは、この他端が電線導出口として構成されるとともに、側面に、電線導出口に連続しボンダーキャップの軸方向に沿って一端側にわたってボンダー挿通口が開口形成される。このため、ボンダーを、ボンダーキャップの軸方向に直交する方向に沿ってボンダー挿通口に挿通することができる。さらに、段差係合部は、ボンダーをボンダーキャップに収容した状態で段差と対向するように形成されているため、ボンダーがボンダーキャップに収容されると、段差係合部とボンダーの段差とが対向する。このため、ボンダーがボンダーキャップの軸方向に移動しようとした時に段差が段差係合部に当接する。
【００１５】
請求項２記載の本発明のボンダーキャップは、請求項１に記載のボンダーキャップにおいて、当該ボンダーキャップは、前記ボンダー挿通口に可撓性を有する保持片を設けてなることを特徴とする。
【００１６】
このような特徴を有する本発明によれば、ボンダー挿通口に可撓性を有する保持片を備えることになる。保持片は、可撓性を有するため、ボンダーをボンダー挿通口に挿通する時に保持片をボンダーの挿通方向に撓ませることができる。ボンダーがボンダーキャップに収容されると、保持片は、ボンダー挿通口へのボンダの挿通開始前の状態に復帰する。すると、保持片は、この内面が複数の電線と対向する。このため、複数の電線が、例えば、ボンダーのボンダー挿通口への挿通開始側に移動しようとした時に、複数の電線が保持片の内面に当接する。
【００１７】
請求項３記載の本発明のボンダーキャップは、請求項１又は２に記載のボンダーキャップにおいて、前記保持片の内面は、前記保持片の先端に行くにしたがって薄肉となる傾斜する形状に形成されることを特徴とする。
【００１８】
このような特徴を有する本発明によれば、保持片の内面が、保持片の先端に行くにしたがって薄肉となる傾斜する形状に形成されるため、保持片は、保持片の先端に行くにしたがって薄肉となる。また、保持片は、基端側が先端側と比較して肉厚となる。このため、保持片は、基端側の剛性を確保しつつボンダーの挿通方向に撓ませ易くなる。
【発明の効果】
【００１９】
請求項１に記載された本発明によれば、ボンダーをボンダーキャップの軸方向に直交する方向に沿ってボンダー挿通口に挿通させることができるため、従来のボンダーキャップと比較して、ボンダーの挿入位置合わせが容易になりボンダーをボンダー挿通口に挿通し易くなるとともに、ボンダーの挿入移動距離が短くなる。したがって、本発明に係るボンダーキャップは、ボンダーへの取り付け作業における作業性を向上させることができるという効果を奏する。
【００２０】
また、請求項１に記載された本発明によれば、ボンダーがボンダーキャップの軸方向に移動しようとした時に段差が段差係合部に当接するため、複数の電線が、例えば、電線導出口側に引っ張られた場合であっても、ボンダーキャップと複数の電線とを粘着テープで結束することなく、ボンダーの電線導出口側への移動を規制することができる。したがって、本発明に係るボンダーキャップは、ボンダーへの取り付け作業における部材費を抑えつつ、ボンダーへの取り付け後におけるボンダーからの脱落を防止することができるという効果を奏する。
【００２１】
請求項２に記載された本発明によれば、請求項１の効果に加え、つぎのような効果も奏する。すなわち、複数の電線が、例えば、ボンダーのボンダー挿通口への挿通開始側に移動しようとした時に複数の電線が保持片の内面に当接するため、複数の電線が上記挿通開始側に移動しようとした場合であっても、ボンダーキャップと複数の電線とを粘着テープで結束することなく、上記挿通開始側への移動を規制することができる。したがって、本発明に係るボンダーキャップは、ボンダーへの取り付け後におけるボンダーからの脱落を、より確実に防止することができるという効果を奏する。
【００２２】
請求項３に記載された本発明によれば、請求項１又は２の効果に加え、つぎのような効果も奏する。すなわち、保持片は、基端側の剛性を確保しつつボンダーの挿通方向に撓ませ易くなるため、ボンダー挿通口に保持片が設けられていてもボンダーをボンダー挿通口に挿通し易くなる。したがって、本発明に係るボンダーキャップは、ボンダーへの取り付け作業における作業性を、より向上させることができるという効果を奏する。
【図面の簡単な説明】
【００２３】
【図１】本発明に係るボンダーキャップの斜視図である。
【図２】本発明に係るボンダーキャップが適用される電線束の端末部を示す図である。
【図３】ボンダーキャップをボンダーへ取り付ける前の状態を示す図である。
【図４】ボンダーキャップをボンダーへ取り付けた状態を示す図である。
【図５】ボンダーに取り付けられたボンダーキャップがワイヤハーネスに固定された状態を示す図である。
【図６】電線束の変形例１を示す図である。
【図７】電線束の変形例２を示す図である。
【発明を実施するための形態】
【００２４】
以下、図１−図５を参照しながら、本発明に係るボンダーキャップの実施例について説明する。
【実施例】
【００２５】
図１は本発明に係るボンダーキャップの斜視図、図２は本発明に係るボンダーキャップが適用される電線束の端末部を示す図、図３はボンダーキャップのボンダーへの取り付け作業を示す図であって、ボンダーキャップをボンダーへ取り付ける前の状態を示す図、図４は図３に続く図であって、ボンダーキャップをボンダーへ取り付けた状態を示す図、図５はボンダーに取り付けられたボンダーキャップがワイヤハーネスに固定された状態を示す図である。
なお、図中の矢印は、上下、左右、前後の各方向を示している（矢印の各方向は一例であるものとする）。
【００２６】
図１において、引用符号１は、本発明に係るボンダーキャップを示している。ボンダーキャップ１は、例えば、車両等に配索されるワイヤハーネス１００（図５参照）の幹線から分岐した電線束２（図２参照）の端末に形成される後述するボンダー２７に取り付けられる部材である。以下、まず、本発明に係るボンダーキャップ１について説明し、つぎに、本発明に係るボンダーキャップ１が適用される電線束２について説明する。
【００２７】
まず、本発明に係るボンダーキャップ１について説明する。
図１に図示するボンダーキャップ１は、絶縁性樹脂材料からなり、長手方向の一端３（図１においては、上下方向における上端）が閉塞されるとともに長手方向の他端４（図１においては、上下方向における下端）が開放されてなる有底筒状に形成されている。
【００２８】
ボンダーキャップ１は、上壁５と、周壁６と、電線導出口７と、ボンダー挿通口８と、一対の段差係合部９と、一対の保持片１０と、収容部１１とを備えて構成されている。上壁５は、図１に図示するように、ボンダーキャップ１の長手方向の一端３を閉塞するように形成されている。周壁６は、左側壁１２と、右側壁１３と、後壁１４とを備えて構成されている。
【００２９】
左側壁１２は、上壁５の図１における左右方向の左側の縁部に連続し、ボンダーキャップ１の軸方向（図１においては、上下方向）に沿って、他端４側（図１においては、下方向）に延びるように形成されている。右側壁１３は、上壁５の図１における左右方向の右側の縁部に連続し、ボンダーキャップ１の軸方向に沿って、他端４側に延びるように形成されている。
【００３０】
後壁１４は、上壁５の図１における前後方向の後側の縁部に連続し、ボンダーキャップ１の軸方向（図１においては、上下方向）に沿って、他端４側（図１においては、下方向）に延びるように形成されている。
【００３１】
図１に図示する電線導出口７は、図４に図示するように、ボンダー２７をボンダーキャップ１に収容した状態で電線２２〜２４を導出可能な部分として形成されている。電線導出口７は、ボンダーキャップ１の開放された他端４にて構成されている。
【００３２】
ボンダー挿通口８は、ボンダー２７を収容部１１に収容するためにボンダー２７を挿通する部分として形成されている。ボンダー挿通口８は、図１に図示するように、ボンダーキャップ１の前面１５（特許請求の範囲における「ボンダーキャップの側面」に相当するものである）に設けられるものであって、電線導出口７に連続しボンダーキャップ１の軸方向（図１においては、上下方向）に沿って一端３側にわたって開口形成されている。ボンダー挿通口８は、ボンダー２７を、ボンダーキャップ１の軸方向に直交する方向（図１においては、前後方向）に挿通可能に形成されている。
【００３３】
一対の段差係合部９は、図４に図示するように、ボンダー２７をボンダーキャップ１に収容した状態で電線２２〜２４がボンダーキャップ１の軸方向（図４においては、下方向）に移動しようとした時に後述する段差３０が当接可能な部分として形成されている。段差係合部９は、図１に図示するように、ボンダー挿通口８に連続するように設けられるものであって、左側壁２の内面１６と右側壁１３の内面１７において、一端３側に配置されており、ボンダーキャップ１の内側に突出するとともに、ボンダー２７をボンダー挿通口８に挿通する方向（図１においては、前後方向）に沿って延びるように形成されている。
【００３４】
段差係合部９は、図１に図示するように、上面が、段差当接面２０として形成されている。段差当接面２０は、ボンダーキャップ１の軸方向に直交するような平面状であって、図４に図示するように、ボンダー２７をボンダーキャップ１に収容した状態で段差３０と対向するように形成されている。段差当接面２０は、電線２２〜２４がボンダーキャップ１の軸方向（図４においては、下方向）に移動しようとした時に段差３０が当接可能に形成されている。
【００３５】
一対の保持片１０は、図４に図示するように、ボンダー２７をボンダーキャップ１に収容した状態で電線２２〜２４がボンダーキャップ１の軸方向に直交する方向（図４においては、前方向）に移動しようとした時に電線２２〜２４が当接可能な部分として形成されている。保持片１０は、図１に図示するように、ボンダー挿通口８のボンダーキャップ１の軸方向（図１においては、上下方向）の縁部のそれぞれに連続するように設けられるものであって、ボンダー挿通口８の内側に突出するとともに、ボンダーキャップ１の軸方向に沿って他端４側から略中間部にわたって延びるように形成されている。
【００３６】
保持片１０は、可撓性を有する部分として設けられるものであって、ボンダー挿通口８のボンダーキャップ１の軸方向（図１においては、上下方向）の縁部を軸としてボンダーキャップ１の軸方向に直交する方向（図１においては、前後方向）に撓むように形成されている。保持片１０は、図１に図示するように、この内面２１が、保持片１０の先端に行くにしたがって薄肉となる傾斜する形状に形成されている。
【００３７】
収容部１１は、図１に図示するように、ボンダーキャップ１の内部空間であって、ボンダー２７及び電線２２〜２４それぞれの端末が収容可能に形成されている。
【００３８】
つぎに、本発明に係るボンダーキャップ１が適用される電線束２について説明する。
電線束２は、図２に図示するように、複数本（本実施例では、三本）の電線２２〜２４を束ねて構成されている。なお、電線束２は、本実施例では、三本の電線を備えて構成されているが、電線の本数は、これに限定されるものではない。
【００３９】
電線２２〜２４は、本実施例では、同じ構成のものが用いられている。電線２２を代表例とすると、電線２２は、導体２５と、絶縁体２６とを備えて構成されている。電線２２〜２４は、図２に図示するように、それぞれの端末において絶縁体２６が剥ぎ取られ導体２５が露出するように構成されている。
【００４０】
電線束２は、図２に図示するように、この端末に、ボンダー２７が形成されている。ここで、「ボンダー」とは、「スプライス部」とも呼ばれ、図２に図示するように、電線束２を構成する電線２２〜２４それぞれの導体２５同士を接続して一体化させた集中接続端のことである。ボンダー２７は、図２に図示するように、導体接続部分２８と、導体非接続部分２９とを備えて構成されるものであって、段差３０を有する形状に形成されている。
【００４１】
導体接続部分２８は、本実施例では、図２に図示するように、電線２２〜２４のそれぞれの露出された導体２５の絶縁体２６側の部分同士を接続して一体化させた集中接続端として形成されている。導体接続部分２８は、本実施例では、熱圧着にて、導体２５同士を接続して一体化させている。ここで、「熱圧着」とは、特に図示しないが、熱圧着機等を用いて、露出された各導体２５の絶縁体２６側の部分に熱及び圧力を作用させ、導体２５同士を電気的に接続させるものである。
【００４２】
なお、導体接続部分２８は、熱圧着の他、例えば、抵抗溶接や超音波溶接等で導体２５同士を接続して一体化させることにより形成されていてもよいものとする。
【００４３】
導体非接続部分２９は、本実施例では、図２に図示するように、電線２２〜２４のそれぞれの露出された導体２５の先端側であって、導体２５同士が接続されない部分として形成されている。
【００４４】
段差３０は、図２に図示するように、導体接続部分２８と導体非接続部分２９との間に設けられている。段差３０は、ボンダー２７を、図４に図示するように、ボンダーキャップ１に収容した状態で複数の電線２２〜２４がボンダーキャップ１の軸方向（図４においては、下方向）に移動しようとした時に段差当接面２０に当接可能となるように形成されている。
【００４５】
なお、ボンダー２７の構成は、本実施例におけるものに限定されるものではない。その他、例えば、電線２２〜２４のそれぞれの露出された導体２５の先端側を、電線束２の軸方向に直交する方向に拡がるような形状となるように熱圧着して導体接続部分を形成してもよいものとする。この場合、図２に図示する符号２８の指示する部分が非導体接続部分として形成され、図２に図示する符号２９の指示する部分が導体接続部分として形成されることになる。その他、ボンダー２７の構成は、後述する変形例に置き換えてもよいものとする。
【００４６】
つぎに、本発明に係るボンダーキャップ１のボンダー２７への取り付け作業について説明する。
【００４７】
まず、図３に図示するように、電線束２を、電線束２の軸方向がボンダーキャップ１の軸方向に沿った状態に配置する。しかる後、電線束２を、ボンダーキャップ１の軸方向に直交する方向（図３に図示する矢印Ａの指示する方向）に移動させ、ボンダー２７のボンダー挿通口８への挿通を開始する。ここで、ボンダー２７は、段差３０が段差当接面２０と対向するようにボンダー挿通口８に挿通される。
【００４８】
ボンダー２７のボンダー挿通口８への挿通を続けると、電線束２（電線２２〜２４）の端末にて一対の保持片１０が押圧されボンダー２７の挿通方向（図３においては、後方向）に撓む。しかる後、ボンダー２７がボンダー挿通口８を通過し、図４に図示するように、収容部１１に収容される。すると、ボンダー２７は、段差３０が段差当接面２０と対向するように配置される。また、一対の保持片１０は、ボンダー挿通口８へのボンダー２７の挿通開始前の状態に復帰し、この内面２１がボンダー２７及び電線束２の端末と対向する。以上により、ボンダーキャップ１のボンダー２７への取り付け作業が完了する。
【００４９】
つぎに、本発明に係るボンダーキャップ１のワイヤハーネス１００の幹線への固定作業について説明する。
【００５０】
ボンダーキャップ１のボンダー２７への取り付け作業が完了した後、図５に図示するように、ボンダーキャップ１を、粘着テープ９０にてワイヤハーネス１００の幹線と結束する。すると、ボンダーキャップ１は、ワイヤハーネス１００の幹線に固定される。以上により、ボンダーキャップ１のワイヤハーネス１００の幹線への固定作業が完了する。
【００５１】
つぎに、本発明に係るボンダーキャップ１がボンダー２７に取り付けられた状態において、ボンダー２７がボンダーキャップ１の軸方向に移動しようとした時の本発明の作用について説明する。
【００５２】
図４に図示するように、ボンダー２７が収容部１１に収容された状態において、電線２２〜２４が他端４側（図４においては、下方向）に引っ張られると、段差３０が段差当接面２０に当接する。このため、ボンダー２７の他端４（電線導出口７）側への移動が規制される。
【００５３】
なお、ボンダー２７が一端３側（図４においては、上方向）に移動しようとすると、ボンダー２７が上壁５の内面１９に当接し、ボンダー２７の一端３側への移動が規制される。以上より、ボンダー２７のボンダーキャップ１の軸方向の移動が規制される。
【００５４】
つぎに、本発明に係るボンダーキャップ１がボンダー２７に取り付けられた状態において、ボンダー２７がボンダーキャップ１の軸方向に直交する方向に移動しようとした時の本発明の作用について説明する。
【００５５】
図４に図示するように、ボンダー２７が収容部１１に収容された状態において、ボンダー２７が、ボンダー２７のボンダー挿通口８への挿通開始側（図４においては、前方向）に移動しようとすると、電線２２〜２４が一対の保持片１０の内面２１に当接する。このため、ボンダー２７の挿通開始側へのボンダー２７の移動が規制される。
【００５６】
なお、ボンダー２７が、図４における後方向に移動しようとすると、ボンダー２７が後壁１４の内面１８に当接し、ボンダー２７の後方向への移動が規制される。また、ボンダー２７が、図４における左右方向に移動しようとすると、ボンダー２７が、左側壁１２の内面１６、または、右側壁１３の内面１７に当接し、ボンダー２７の左右方向の移動が規制される。以上より、ボンダー２７のボンダーキャップ１の軸方向に直交する方向の移動が規制される。
【００５７】
以上の本発明に係るボンダーキャップ１が適用される電線束２は、図６に図示する変形例１、または、図７に図示する変形例２に置き換えてもよいものとする。以下、変形例１，２について説明する。
【００５８】
図６に図示する変形例１に係る電線束４０は、ボンダー４１が、電線２２〜２４のそれぞれの露出された導体２５の先端同士を半田付けにて接続させて形成されている。ボンダー４１は、段差４２を有する形状に形成されている。
【００５９】
なお、特に図示しないが、変形例１におけるボンダー４１に換えて、露出された導体２５同士をすべて半田付けにて接続し、段差を有する形状のボンダーを形成する構成であってもよいものとする。
【００６０】
図７に図示する変形例２に係る電線束５０は、ボンダー５１が、電線２２〜２４のそれぞれの露出された導体２５同士を接続し一体化させた導体接続部分５２を絶縁保護部材５３で被覆して形成されている。ボンダー５１は、段差５４を有する形状に形成されている。
【００６１】
その他、特に図示しないが、導電性を有する金属からなるの圧着スリーブを用いて電線束を構成する複数の電線のそれぞれの露出された導体同士を接続し、段差を有する形状のボンダーを形成する構成であってもよいものとする。
【００６２】
なお、変形例１に係る電線束４０、または、変形例２に係る電線束５０を用いる場合、本発明に係るボンダーキャップ１は、特に図示しないが、ボンダー挿通口８が、ボンダー４１、または、ボンダー５１を、ボンダーキャップ１の軸方向に直交する方向に挿通可能となるように、適宜、設計を変更するものとする。
【００６３】
また、変形例１に係る電線束４０、または、変形例２に係る電線束５０を用いる場合、本発明に係るボンダーキャップ１は、特に図示しないが、ボンダー４１、または、ボンダー５１を、収容部１１に収容した状態で、段差４２、または、段差５４と対向するように形成されるとともに、電線２２〜２４がボンダーキャップ１の軸方向に移動しようとした時に段差４２、または、段差５４が当接可能となるように、適宜、設計を変更するものとする。
【００６４】
つぎに、本発明に係るボンダーキャップ１の効果について説明する。
以上、図１−図７を参照しながら説明してきたように、本発明によれば、ボンダー２７，４１，５１をボンダーキャップ１の軸方向に直交する方向に沿ってボンダー挿通口８に挿通させることができるため、従来のボンダーキャップと比較して、ボンダー２７，４１，５１の挿入位置合わせが容易になりボンダー２７，４１，５１をボンダー挿通口８に挿通し易くなるとともに、ボンダー２７，４１，５１の挿入移動距離が短くなる。したがって、本発明に係るボンダーキャップ１は、ボンダー２７，４１，５１への取り付け作業における作業性を向上させることができるという効果を奏する。
【００６５】
また、本発明によれば、ボンダー２７，４１，５１がボンダーキャップ１の軸方向に移動しようとした時に段差３０，４２，５４が段差当接面２０に当接するため、電線２２〜２４が、例えば、電線導出口７側に引っ張られた場合であっても、ボンダーキャップ１と電線２２〜２４とを粘着テープで結束することなく、ボンダー２７，４１，５１の電線導出口７側への移動を規制することができる。したがって、本発明に係るボンダーキャップ１は、ボンダー２７，４１，５１への取り付け作業における部材費を抑えつつ、ボンダー２７，４１，５１への取り付け後におけるボンダー２７，４１，５１からの脱落を防止することができるという効果を奏する。
【００６６】
また、本発明によれば、上記効果に加え、つぎのような効果も奏する。すなわち、電線２２〜２４が、例えば、ボンダー２７，４１，５１のボンダー挿通口８への挿通開始側に移動しようとした時に電線２２〜２４が保持片１０の内面２１に当接するため、電線２２〜２４が上記挿通開始側に移動しようとした場合であっても、ボンダーキャップ１と電線２２〜２４とを粘着テープで結束することなく、上記挿通開始側への移動を規制することができる。したがって、本発明に係るボンダーキャップ１は、ボンダー２７，４１，５１への取り付け後におけるボンダー２７，４１，５１からの脱落を、より確実に防止することができるという効果を奏する。
【００６７】
さらに、本発明によれば、上記の効果に加え、つぎのような効果も奏する。すなわち、保持片１０は、基端側の剛性を確保しつつボンダー２７，４１，５１の挿通方向に撓ませ易くなるため、ボンダー挿通口８に保持片１０が設けられていてもボンダー２７，４１，５１をボンダー挿通口８に挿通し易くなる。したがって、本発明に係るボンダーキャップ１は、ボンダー２７，４１，５１への取り付け作業における作業性を、より向上させることができるという効果を奏する。
【００６８】
この他、本発明は本発明の主旨を変えない範囲で種々変更実施可能なことは勿論である。
【符号の説明】
【００６９】
１…ボンダーキャップ、  ２，４０，５０…電線束、  ３…一端、  ４…他端、  ５…上壁、  ６…周壁、  ７…電線導出口、  ８…ボンダー挿通口、  ９…段差係合部、  １０…保持片、  １１…収容部、  １２…左側壁、  １３…右側壁、  １４…後壁、  １５…前面、  １６〜１９，２１…内面、  ２０…段差当接面、  ２２〜２４…電線、  ２５…導体、  ２６…絶縁体、  ２７，４１，５１…ボンダー、  ２８，５２…導体接続部分、  ２９…導体非接続部分、  ３０，４２，５４…段差、  ５３…絶縁保護部材、  ９０…粘着テープ、  １００…ワイヤハーネス
【図１】
2018163812.tif 000003
【図２】
2018163812.tif 000004
【図３】
2018163812.tif 000005
【図４】
2018163812.tif 000006
【図５】
2018163812.tif 000007
【図６】
2018163812.tif 000008
【図７】
2018163812.tif 000009